(57)【特許請求の範囲】
【請求項１】
シャーシ(１)上に昇降可能に配備され、ディスク(60)を内包したカートリッジ(６)が収納されるホルダ(３)と、シャーシ(１)上に回動可能に設けられてホルダ(３)に被さり、先端部に記録ヘッド(70)を具えてディスク(60)への信号記録時に下降回動して記録ヘッド(70)をホルダ(３)を通ってディスク(60)に当接させるヘッドレバー(７)と、ホルダ(３)上に設けられたモータ(Ｍ)と、該モータ(Ｍ)に駆動されるヘッドレバー昇降手段と、ヘッドレバー(７)の上昇完了又は下降完了状態を示す検知信号を発するスイッチ機構と、モータ(Ｍ)に通電する給電回路(110)とを具えたディスク記録又は再生装置に於いて、
給電回路(110)は、スイッチ機構からの検知信号が入力される制御回路(100)に接続し、
制御回路(100)は、電源投入時にヘッドレバー(７)が上昇完了位置にないことを検知したときには、通常のヘッドレバー(７)上昇時にモータ(Ｍ)に給電する電圧又は電流よりも高い電圧又は電流をモータ(Ｍ)に供給する旨の信号を給電回路(110)に出力する給電増加手段を具えていることを特徴とするディスク記録又は再生装置。
【請求項２】
シャーシ(１)とホルダ(３)の間には、モータ(Ｍ)駆動され、ディスク(60)への信号記録状態にてホルダ(３)の上昇を防ぐイジェクト阻止機構(５)が配備された請求項１に記載のディスク記録又は再生装置。
【請求項３】
シャーシ(１)上に昇降可能に配備され、ディスク(60)を内包したカートリッジ(６)が収納されるホルダ(３)と、シャーシ(１)上に回動可能に設けられてホルダ(３)に被さり、先端部に記録ヘッド(70)を具えてディスク(60)への信号記録時に、下降回動して記録ヘッド(70)をホルダ(３)を通ってディスク(60)に当接させるヘッドレバー(７)と、ヘッドレバー(７)の上昇完了又は下降完了状態を示す検知信号を発するスイッチ機構と、モータ(Ｍ)駆動されるヘッドレバー昇降手段と、モータ(Ｍ)に通電する給電回路(110)とを具えたディスク記録又は再生装置の制御方法であって、
電源投入時に、検知信号からヘッドレバー(７)が上昇完了位置にあるか否かを判定する工程と、
ヘッドレバー(７)が上昇完了位置にないことを検知したときには、通常のヘッドレバー(７)昇降時にモータ(Ｍ)に給電する電圧又は電流よりも高い電圧又は電流をモータ(Ｍ)に供給する工程と、
該電圧又は電流が一定時間モータ(Ｍ)に供給された後も、ヘッドレバー(７)が上昇完了位置にないことを検知したときには、装置への通電を遮断する工程を有することを特徴とするディスク記録又は再生装置の制御方法。
【発明の詳細な説明】
【０００１】
【発明の属する技術分野】
本発明は、記録ヘッドを具えたディスク記録又は再生装置、及び該装置の制御方法に関する。
【０００２】
【従来の技術】
図１１は、斯種装置の記録又は再生原理を示す断面側面図である。シャーシ(１)上には、ディスク(60)を収納したカートリッジ(６)が載置されており、該シャーシ(１)下面にはディスク(60)にビームＢを照射するピックアップ(11)がスライド可能に設けられている。ディスク(60)はターンテーブル(図示せず)により回転する。ピックアップ(11)にはブラケット(72)が取り付けられ、該ブラケット(72)にはヘッドレバー(７)の基端部が枢支(71)されている。これにより、ヘッドレバー(７)はピックアップ(11)とともにスライドする。ヘッドレバー(７)はカートリッジ(６)に向けてバネ付勢され、該ヘッドレバー(７)の自由端部裏側には記録ヘッド(70)が設けられている。ピックアップ(11)からのビームＢは、シャーシ(１)に開設された透孔(12)を通って、カートリッジ(６)内のディスク(60)裏面を照射する。
ディスク(60)に信号を記録する際には、ピックアップ(11)からディスク(60)にビームＢを照射するとともに、ヘッドレバー(７)を下降回動させる。記録ヘッド(70)は、カートリッジ(６)の透窓(61)を通って、ディスク(60)上面にて該照射箇所の反対側箇所に当接する。該照射箇所がキュリー温度(約２００度)に達すると、ディスク(60)の保磁力が失われ、記録ヘッド(70)は該照射箇所を一瞬の内に磁化する。ディスク(60)は回転しているから、該照射箇所がビームＢから外れると冷えて、磁化の向きが固定され信号が記録される。
【０００３】
信号を記録中に、カートリッジ(６)がシャーシ(１)から外れると、信号が正しく記録されず、また記録ヘッド(70)を傷つける虞れがある。従って、信号記録時にはカートリッジ(６)がシャーシ(１)から外れないイジェクト阻止機構(５)を設けている。この詳細を以下に示す。
図８(a)、(b)、(c)は、従来のディスク記録又は再生装置の側面図であり、図９は、後記のホルダ(３)が閉じた状態の平面図である。図８(a)及び図９に示すように、カートリッジ(６)は、一端部がシャーシ(１)に枢支(31)されたホルダ(３)に挿入され、ヘッドレバー(７)の記録ヘッド(70)は、ホルダ(３)上面に開設された窓孔(30)を通ってカートリッジ(６)内のディスク(60)に接する。以下の記載では、カートリッジ(６)を挿入する方向を前方、カートリッジ(６)を排出する方向を後方とする。
【０００４】
ホルダ(３)には、スライド板(50)が前後スライド可能に設けられ、該スライド板(50)は歯車列(35)及びウォーム(34)を介してモータ(Ｍ)により駆動される。図８(a)、(b)、(c)にあっては、モータ(Ｍ)及び歯車列(35)の図示を省く。ホルダ(３)上にてヘッドレバー(７)の下側には、昇降レバー(75)がヘッドレバー(７)と同一面内を回動可能に設けられており、昇降レバー(75)はヘッドレバー(７)を押し上げ駆動する。昇降レバー(75)はスライド板(50)から上向きに突出したカム片(53)に接し、昇降レバー(75)がカム片(53)に接した状態にて、昇降レバー(75)はヘッドレバー(７)を押し上げる。シャーシ(１)上にてホルダ(３)の後方には、止め板(54)が立設されており、後退したスライド板(50)は先端部が止め板(54)に嵌まる。
ディスク(60)に信号を記録する際には、図８(b)に示す位置から、モータ(Ｍ)に通電してスライド板(50)を後退させる。図８(c)に示すように、カム片(53)と昇降レバー(75)の当接が外れ、バネ付勢されたヘッドレバー(７)は昇降レバー(75)とともに下降回動する。記録ヘッド(70)は窓孔(30)を通って、ディスク(60)に接する。スライド板(50)の後端部は、止め板(54)に開設された孔(55)に嵌まり、これによりホルダ(３)は信号記録中に不用意に上向き回動して、シャーシ(１)から外れることが防止される。
【０００５】
【発明が解決しようとする課題】
図１０は、モータ(Ｍ)に連結したウォーム(34)と、歯車列(35)の下流側ギア(36)の噛合状態を示す平面図である。この嵌合状態に於いてウォーム(34)の振れ等により、ギア(36)とウォーム(34)が適正な噛み合いとはならず、所謂噛み込み状態となることがある。信号記録時から他の動作モードへの移行時に、かかる噛み込み状態になると、ギア(36)の回転負荷が大きくなるから、スライド板(50)が前進できなくなる。スライド板(50)は止め板(54)に嵌まっているから、スライド板(50)が前進できないと、ホルダ(３)からカートリッジ(６)を取り出せなくなる。本発明の目的は、ギアとウォームが噛み込んでもホルダからカートリッジを排出することにある。
【０００６】
【課題を解決する為の手段】
ディスク記録又は再生装置は、ヘッドレバー(７)の上昇完了又は下降完了状態を示す検知信号を発するスイッチ機構と、ヘッドレバー昇降手段のモータ(Ｍ)に通電する給電回路(110)とを具え、
給電回路(110)は、スイッチ機構からの検知信号が入力される制御回路(100)に接続し、
制御回路(100)は、電源投入時にヘッドレバー(７)が上昇完了位置にないことを検知したときには、通常のヘッドレバー(７)昇降時にモータ(Ｍ)に給電する電圧又は電流よりも高い電圧又は電流をモータ(Ｍ)に供給する旨の信号を給電回路(110)に発する増加給電手段を具えている。
【０００７】
【作用及び効果】
電源投入時に、ヘッドレバー(７)が上昇完了位置にないと、ギア(36)とウォーム(34)が噛み込んでギア(36)の回転負荷が重くなっている虞れがある。然るに、このときには通常のヘッドレバー(７)昇降時にモータ(Ｍ)に給電する電圧又は電流よりも高い電圧又は電流がモータ(Ｍ)に供給されるから、モータ(Ｍ)はより大きな駆動力でウォーム(34)を回転させる。ウォーム(34)はギア(36)の回転負荷に抗して回転し、噛み込み状態は解除される。信号記録時から他の動作モードへの移行時に、ギア(36)とウォーム(34)が噛み込んでも、再度電源を投入すれば、噛み込み状態は解除される。
これにより、ホルダ(３)からカートリッジ(６)を排出することができ、装置が故障となる虞れを防止できる。
【０００８】
【発明の実施の形態】
(全体概略)
以下、本発明の一例を図を用いて詳述する。
図１は、ディスク記録又は再生装置の分解斜視図であり、説明の便宜上、ホルダ(３)上の構成部品の記載を省く。ホルダ(３)に挿入されるカートリッジ(６)は従来と同じである。
本例にあっては、シャーシ(１)にホルダ(３)の一端部が枢支(31)されるが、ホルダ(３)に覆い部材(４)が被さり、シャーシ(１)はキャビネット(２)に取り付けられる。覆い部材(４)はキャビネット(２)に枢支(42)されて、ホルダ(３)と同じ向きに回動し、覆い部材(４)はホルダ(３)の後端部に取り付けられた板バネ(43)(43)により上向きに付勢される。
【０００９】
キャビネット(２)の後端面には、第１スライド片(８)と第２スライド片(80)が左右に移動可能に配備され、第１スライド片(８)は、先端部に斜面(83)を設けた爪片(82)と第１突片(81)を上向きに設けている。第２スライド片(80)は第２突片(84)を上向きに、手動操作される押され片(85)を後向きに夫々突出し、キャビネット(２)の後端面から後方に突出した水平板(20)に載置される。後記するように、覆い部材(４)の裏側に配備される排出切換え部材(９)と、第１、第２スライド片(８)(80)にてイジェクト阻止機構(５)を構成する。
シャーシ(１)上には、周知の如く、カートリッジ(６)内のディスク(60)を回転させるターンテーブル(10)と、ピックアップ(11)が設けられている。シャーシ(１)の後端部には、挿入検出スイッチ(ＳＷ3)が周知の如く設けられ、カートリッジ(６)がシャーシ(１)に載置された状態にて、カートリッジ(６)の下面は該挿入検出スイッチ(ＳＷ3)を押し込む。これにより、カートリッジ(６)がシャーシ(１)に載置されたことが確認される。シャーシ(１)は防振部材(図示せず)を介してキャビネット(２)の下端部から内向きに突出した受け板(21)に取り付けられる。
【００１０】
図２は、ディスク記録又は再生装置の斜視図である。ホルダ(３)上には従来と同様に、スライド板(50)、昇降レバー(75)、モータ(Ｍ)、歯車列(35)が設けられ、ホルダ(３)にはヘッドレバー(７)が被さる。
ホルダ(３)上にて歯車列(35)の近傍には、回路基板(140)が設けられ、該回路基板(140)上にてスライド板(50)の移行路上には、ヘッド上昇検出スイッチ(ＳＷ1)及びヘッド下降検出スイッチ(ＳＷ2)が設けられている。両スイッチ(ＳＷ1)(ＳＷ2)は、スライド板(50)の側部に設けられた突子(51)により押し込まれ、押し込まれてＯＦＦからＯＮになる。
覆い部材(４)には引掛り片(40)が設けられ、覆い部材(４)の裏面には金属線を折曲して形成される排出切換え部材(９)が設けられる。排出切換え部材(９)は、基端部から２本の脚片(91)(92)を突出し、一方の脚片(91)は引掛り片(40)に引掛かり、先端部がスライド板(50)上の突起(52)に接している。他方の脚片(92)は先端部が内向きに折曲されて、該折曲部(90)が覆い部材(４)の外側に突出している。
【００１１】
図３(a)は、図２をＡ方向から見た正面図であり、図３(b)は、図３(a)からホルダ(３)を閉じた状態を示す。説明の便宜上、図３(a)、(b)ではヘッドレバー(７)を図示しない。第１、第２スライド片(８)(80)は、夫々右向きにバネ(86)(87)付勢されて、キャビネット(２)後端面上のストッパ(88)(89)に夫々当接している。前記排出切換え部材(９)の折曲部(90)は、第１スライド片(８)の第１突片(81)と第２スライド片(80)の第２突片(84)との間に位置する。覆い部材(４)の後端面からは、第１スライド片(８)の爪片(82)と係合する突板(41)が突出している。
【００１２】
ホルダを閉じる時
図３(a)に示す位置からホルダ(３)を下向きに閉じると、突板(41)は爪片(82)の斜面(83)に接して第１スライド片(８)をバネ(86)に抗して左向きに押す。突板(41)が斜面(83)を通過すると第１スライド片(８)はバネ(86)により戻され、突板(41)と爪片(82)とが係合して、ホルダ(３)の閉じ姿勢を保つ。この状態で、覆い部材(４)は板バネ(43)(43)を介してホルダ(３)を下向きに押圧している。
ホルダを開く時
ホルダ(３)を開く際には、バネ(87)に抗して第２スライド片(80)の押され片(85)を手で左向きに押す。第２スライド片(80)の第２突片(84)は排出切換え部材(９)の折曲部(90)を介して、第１スライド片(８)の第１突片(81)を左向きに押す。突板(41)と爪片(82)との係合が外れ、覆い部材(４)は板バネ(43)(43)により上昇する。
【００１３】
(イジェクト阻止機構)
図４(a)、(b)は、ホルダ(３)の閉じ姿勢を示す平面図であり、(a)はヘッドレバー(７)が上昇した状態を、(b)はヘッドレバー(７)が下降した状態を示す。図４(a)、(b)にあっては、バネ(86)(87)を図示しない。図４(a)に示すように、スライド板(50)が前進完了した状態では、カム片(53)が昇降レバー(75)を介してヘッドレバー(７)を押し上げ、記録ヘッド(70)はホルダ(３)上面から離間している(図８(b)参照)。また、スライド板(50)の突子(51)はヘッド上昇検出スイッチ(ＳＷ1)を押し込んでおり、ヘッドレバー(７)が上昇完了位置にあることが検知される。
【００１４】
記録時には、モータ(Ｍ)に通電して、スライド板(50)を後退させる。スライド板(50)の突起(52)は排出切換え部材(９)の脚片(91)を押し、該排出切換え部材(９)を引掛り片(40)を中心として反時計方向に回動させる。排出切換え部材(９)の折曲部(90)は、第２突片(84)に接するが弾性変形して、第１スライド片(８)の第１突片(81)と第２スライド片(80)の第２突片(84)の間から脱出する。
スライド板(50)のカム片(53)と昇降レバー(75)の当接が外れ、ヘッドレバー(７)は下降して、記録ヘッド(70)はホルダ(３)の窓孔(30)を通ってカートリッジ(６)内に進入する。スライド板(50)の突子(51)がヘッド下降検出スイッチ(ＳＷ2)を押し込むと、ヘッドレバー(７)の下降完了が検出される。
【００１５】
ヘッドレバー(７)が下降完了した状態にて、第２スライド片(80)を左向きに押し込んでも、排出切換え部材(９)の折曲部(90)は、第１スライド片(８)の第１突片(81)と第２スライド片(80)の第２突片(84)の間から脱出しているから、第１スライド片(８)は動かない。これにより、覆い部材(４)とキャビネット(２)の係合は保たれ、信号記録時にホルダ(３)が不用意に開いて、カートリッジ(６)がシャーシ(１)から脱落しない。即ち、排出切換え部材(９)と、第１、第２スライド片(８)(80)にてイジェクト阻止機構(５)を構成し、安定して信号が記録できる。
尚、信号再生時には、図４(a)に示すように、ヘッドレバー(７)が上昇した状態にて、ピックアップ(11)(図１参照)をスライドさせる。スライド板(50)は後退しない。信号再生時にホルダ(３)をロックしないのは、ヘッドレバー(７)が上昇しているので、不用意にホルダ(３)を開いても、記録ヘッド(70)を傷つけないとの理由による。
【００１６】
(噛み込み時のカートリッジ取り出し)
スライド板(50)は歯車列(35)及びウォーム(34)を介してモータ(Ｍ)駆動されるが、ウォーム(34)の振れ等の原因によって、歯車列(35)の下流側ギア(36)とウォーム(34)が噛み込み、ギア(36)の回転負荷が大きくなることがある。信号記録時から他の動作モードに移行する際に、かかる噛み込み状態になると、ギア(36)が回転できないから、スライド板(50)が前進できなくなる。前記の如く、ヘッドレバー(７)が下降完了した状態にて、第２スライド片(80)を左向きに押し込んでもホルダ(３)は開かないから、スライド板(50)が移動できない故に、ホルダ(３)からカートリッジ(６)を取り出せなくなる。
本願はこの点に鑑みて、電源投入時にヘッドレバー(７)が上昇完了位置にないことを検知したときには、通常のヘッドレバー(７)昇降時にモータ(Ｍ)に給電する電圧よりも高い電圧をモータ(Ｍ)に供給し、スライド板(50)を移動させる点に特徴がある。信号記録時から他の動作モードへの移行時にギア(36)とウォーム(34)が噛み込んでも、再度電源を投入すれば、噛み込み状態は解除される。この点を以下に詳述する。
【００１７】
図５は、回路基板(140)上の構成を示すブロック図である。ヘッド上昇検出スイッチ(ＳＷ1)及びヘッド下降検出スイッチ(ＳＷ2)からの信号は、制御回路(100)に入力され、該制御回路(100)には時間を計測するタイマ手段(120)、及び当初０が格納されたカウンタ(130)が接続されている。制御回路(100)はモータ(Ｍ)に電圧を供給する給電回路(110)に繋がっている。
図６及び図７は、電源投入時以降の記録動作を示すフローチャートである。ヘッドレバー(７)を昇降させるのにモータ(Ｍ)に通常印加されるべき電圧を２．５Ｖとする。
電源が投入されない待機状態では、スライド板(50)は前進して、本来ヘッド上昇検出スイッチ(ＳＷ1)を押し込んでいる。先ず、第２スライド片(80)を手動操作して、ホルダ(３)を開く。ホルダ(３)にカートリッジ(６)を挿入してホルダ(３)を閉じた後に(Ｓ1)、装置に電源を投入する(Ｓ2)。
【００１８】
ヘッド上昇検出スイッチ(ＳＷ1)は本来ＯＮになっているはずであるが(Ｓ3)、ギア(36)とウォーム(34)が噛み込んで、スライド板(50)が前進せずに、ヘッド上昇検出スイッチ(ＳＷ1)がＯＦＦとなっている場合がある。この場合、制御回路(100)はヘッド上昇検出スイッチ(ＳＷ1)がＯＦＦであることを検出したのが１回目であるか否かを判断する(Ｓ8)。この判断はカウンタ(130)の数字が０であることを確認することにより行なう。
カウンタ(130)の数字が０、即ちヘッド上昇検出スイッチ(ＳＷ1)がＯＦＦであることを検出したのが通電後１回目であれば、制御回路(100)はカウンタ(130)に１を記録すると共に、給電回路(110)に対し、２．５Ｖよりも高い３．３Ｖの電圧をモータ(Ｍ)に供給すべき旨の信号を発する(Ｓ9)。制御回路(100)は同時にタイマ手段(120)を作動させて、給電回路(110)は３．３Ｖの電圧をタイマ手段(120)が計測する一定時間だけモータ(Ｍ)に供給する。この電圧値を切り換えて、より高い電圧を付与する構成は、実開平５−６１８６２号に示すように公知技術である。
【００１９】
モータ(Ｍ)からは通常のヘッドレバー(７)昇降時よりも大きな駆動トルクがスライド板(50)に供給され、該駆動トルクがギア(36)の回転負荷を越えると、スライド板(50)が前進し、ヘッド上昇検出スイッチ(ＳＷ1)がＯＮになる(Ｓ3)。
ステップＳ9にて、３．３Ｖの電圧を一定時間モータ(Ｍ)に供給した後も、ヘッド上昇検出スイッチ(ＳＷ1)がＯＦＦのままであれば、制御回路(100)はカウンタ(130)から既にヘッド上昇検出スイッチ(ＳＷ1)がＯＦＦであることを検出したかを判断し(Ｓ8)、ステップＳ８にてYESならば装置をシステムダウン、即ち通電を遮断する(Ｓ10)。カウンタ(130)は０にリセットされる。
使用者は再度電源を投入する(Ｓ2)。ヘッド上昇検出スイッチ(ＳＷ1)がＯＦＦであり、給電回路(110)は再び３．３Ｖの電圧を一定時間モータ(Ｍ)に供給する(Ｓ9)。尚、出願人が試作した装置では、３．３Ｖの電圧を一定時間モータ(Ｍ)に供給すれば、通常はギア(36)とウォーム(34)の噛み込みによる負荷を越える駆動トルクが供給される。従って、ヘッド上昇検出スイッチ(ＳＷ1)がＯＦＦのままで、何度もステップＳ2からＳ10までの動作を繰り返す虞れは少ない。また、この２．５Ｖ及び３．３Ｖの電圧値は例示であり、他の値でもよい。
【００２０】
ステップＳ3にて、ヘッド上昇検出スイッチ(ＳＷ1)がＯＮになったことが確認されれば、挿入検出スイッチ(ＳＷ3)の出力からカートリッジ(６)がホルダ(３)に挿入されたことを確認して(Ｓ4)、モータ(Ｍ)に電圧２．５Ｖを印加し(Ｓ5)、スライド板(50)を後退させる。ヘッド上昇検出スイッチ(ＳＷ1)はＯＦＦとなり、記録ヘッド(70)が下降する。
モータ(Ｍ)に一定時間だけ電圧２．５Ｖを印加した後に(Ｓ6)、ヘッド下降検出スイッチ(ＳＷ2)がＯＮにならなければ(Ｓ7)、ギア(36)とウォーム(34)が噛み込んでギア(36)の回転負荷が大きくなっていることが考えられるから、このときは装置をシステムダウンさせ(Ｓ10)、ステップＳ２からの操作を繰り返す。
【００２１】
ヘッド下降検出スイッチ(ＳＷ2)がＯＮになれば、ディスク(60)に信号を記録する(Ｓ11)。記録終了後にカートリッジ(６)を取り出すには、使用者はその旨のＥＪＥＣＴ信号を装置に入力する(Ｓ12)。モータ(Ｍ)に逆電圧２．５Ｖを一定時間印加し、記録ヘッド(70)を上昇させる(Ｓ13、Ｓ14)。スライド板(50)がヘッド上昇検出スイッチ(ＳＷ1)を押し込むと(Ｓ15)、制御回路(100)はモータ(Ｍ)への通電を停止する(Ｓ16)。ステップＳ15にて一定時間経過しても、ヘッド上昇検出スイッチ(ＳＷ1)がＯＦＦのままであれば、ステップＳ10に戻り、装置をシステムダウンさせ、ステップＳ2に戻る。
【００２２】
電源投入時に、ヘッドレバー(７)が上昇完了位置にないときには、通常のヘッドレバー(７)昇降時にモータ(Ｍ)に給電する電圧２．５Ｖよりも高い電圧３．３Ｖがモータ(Ｍ)に供給されるから、モータ(Ｍ)はより大きな駆動力でウォーム(34)を回転させる。ウォーム(34)はギア(36)の回転負荷に抗して回転し、噛み込み状態は解除される。
これにより、ホルダ(３)からカートリッジ(６)を排出することができ、装置が故障となる虞れを防止できる。尚、上記例ではモータ(Ｍ)を電圧駆動するとしているが、電流駆動してもよい。
また、ヘッドレバー(７)を上昇させるときに、常に３．３Ｖの電圧をモータ(Ｍ)に印加することも考えられるが、これでは装置の消費電力が大きくなるので、上記のような構成としている。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の分解斜視図である。
【図２】ディスク記録又は再生装置の斜視図である。
【図３】(a)は、図２をＡ方向から見た正面図であり、(b)は、図３(a)からホルダを閉じた状態を示す。
【図４】ホルダの閉じ姿勢を示す平面図であり、(a)はヘッドレバーが上昇した状態を、(b)はヘッドレバーが下降した状態を示す。
【図５】回路基板上の構成を示すブロック図である。
【図６】電源投入時以降の記録動作を示すフローチャートである。
【図７】電源投入時以降の記録動作を示すフローチャートである。
【図８】(a)、(b)、(c)は、従来のディスク記録又は再生装置の側面図である。
【図９】ホルダが閉じた状態の平面図である。
【図１０】ウォームと歯車列の下流側ギアの噛合状態を示す平面図である。
【図１１】斯種装置の記録又は再生原理を示す断面側面図である。
【符号の説明】
(１)  シャーシ
(３)  ホルダ
(５)  イジェクト阻止機構
(７)  ヘッドレバー
(60)  ディスク
(70)  記録ヘッド
(100) 制御回路
(110) 給電回路
【図１】
0003759574.tif 000002
【図２】
0003759574.tif 000003
【図３】
0003759574.tif 000004
【図４】
0003759574.tif 000005
【図５】
0003759574.tif 000006
【図６】
0003759574.tif 000007
【図７】
0003759574.tif 000008
【図８】
0003759574.tif 000009
【図９】
0003759574.tif 000010
【図１０】
0003759574.tif 000011
【図１１】
0003759574.tif 000012